(57)【要約】【課題】３色ランプを有する画像読取装置で、原稿サイズ検知用の読み取りモードを設け、使用者に眩しさを強く感じさせ、不快感を与えることを防ぐ。【解決手段】画像読取装置は、コンタクトガラスと、原稿を押さえる原稿押さえ部と、原稿押さえ部が予め定められた位置よりも倒されたことを検知する開閉検知部と、３色分のＬＥＤで原稿に光を照射するＬＥＤランプと、ライン単位で原稿を読み取るイメージセンサと、Ａ／Ｄ変換部と、画像データの処理を行い、原稿の主走査方向の長さを検知する原稿サイズ検知のため画像データの内で明るい部分と暗い部分の境界検知処理を行う画像処理部と、を備え、原稿押さえ部が予め定められた位置よりも倒されたことを検知したとき、ＬＥＤランプは、原稿サイズ検知のため、１色ずつ順次発光する。【選択図】図１０
2012015750.tif 000002
【特許請求の範囲】
【請求項１】
原稿が載置されるコンタクトガラスと、
上下方向に開閉され、前記コンタクトガラスに載置された原稿を押さえるための原稿押さえ部と、
前記原稿押さえ部が予め定められた位置よりも倒されたことを検知する開閉検知部と、
ＲｅｄとＧｒｅｅｎとＢｌｕｅの３色分のＬＥＤを含み、前記コンタクトガラスに載置された原稿に向け光を照射するＬＥＤランプと、
原稿に照射された光の反射光を受光し、ライン単位で読み取るイメージセンサと、
前記イメージセンサのアナログ出力を画像データとしてディジタル化するＡ／Ｄ変換部と、
前記Ａ／Ｄ変換部が出力した画像データの処理を行い、少なくとも、載置された原稿の主走査方向の長さを検知する原稿サイズ検知のため、画像データの内で明るい部分と暗い部分の境界を検知する境界検知処理を行う画像処理部と、を備え、
前記原稿押さえ部が予め定められた位置よりも倒されたことを検知したとき、前記ＬＥＤランプは、前記原稿サイズ検知のため、１色ずつ順次発光することを特徴とする画像読取装置。
【請求項２】
前記ＬＥＤランプは、前記原稿サイズ検知後に行われる原稿の読み取りでは、３色分のＬＥＤを全て又は少なくとも２色を同時に点灯することを特徴とする請求項１記載の画像読取装置。
【請求項３】
ライン単位の原稿の読み取りにおける同期信号である水平同期信号を発する同期信号発生部を含み、
前記原稿押さえ部が予め定められた位置よりも倒されたことを検知したとき、前記ＬＥＤランプは、前記水平同期信号の周期内で３色分の前記ＬＥＤを１色ずつ点灯することを特徴とする請求項１又は２に記載の画像読取装置。
【請求項４】
ライン単位の原稿の読み取りにおける同期信号である水平同期信号を発する同期信号発生部を含み、
前記原稿押さえ部が予め定められた位置よりも倒されたことを検知したとき、前記ＬＥＤランプは、前記水平同期信号の１周期の間、１色の前記ＬＥＤを点灯させ、前記水平同期信号の周期ごとに点灯する前記ＬＥＤの色を順次切り替えることを特徴とする請求項１又は２に記載の画像読取装置。
【請求項５】
前記イメージセンサは、Ｒ、Ｇ、Ｂのカラーラインセンサであり、
前記画像処理部は、前記原稿サイズ検知において、１色分の画像データに基づき、又は、３色分の画像データを合成し、合成により得られた画像データに基づき前記境界検知処理を行うことを特徴とする請求項１乃至４のいずれか１項に記載の画像読取装置。
【請求項６】
請求項１乃至請求項５のいずれか１項に記載の画像読取装置を含むことを特徴とする画像形成装置。
【発明の詳細な説明】
【技術分野】
【０００１】
本発明は、原稿の読取を行う画像読取装置に関する。又、この画像読取装置を備えた画像形成装置に関する。
【背景技術】
【０００２】
例えば、スキャナのような原稿を読み取り、画像データを出力する装置が存在する。一般に、画像読取装置には、原稿に光を照射するランプや、原稿の反射光を受光して光電変換を行うイメージセンサ等を含む。そして、画像読取装置は、複写機、複合機、ＦＡＸ装置等の画像形成装置に搭載されることもある。ここで、消費電力が少なさや、点灯してから発光が安定するまでの時間が短い等の利点から、画像読取装置の光源としてＬＥＤが用いられることがある。このような画像読取装置の一例が、特許文献１に記載されている。
【０００３】
具体的に、特許文献１には、異なる波長の光を照射する複数の光源と、前記光源により照射された画像を読み取る読取手段と、前記読取手段により前記画像を単一色で読み取る第１のモードと、複数色で読み取る第２のモードを切り換えるモード切換手段と、前記光源の点灯時間を設定する点灯時間設定手段と、前記光源の電力供給量を設定する電力設定手段と、切り換えられるモードに応じて前記点灯時間設定手段及び前記電力設定手段の制御を行う制御手段と、を有する画像形成装置が記載されている。この構成により、無駄な点灯をなくし、光源の長寿命化を図り、省電力な画像形成装置を提供しようとする。（特許文献１：請求項１、段落［０１０２］等参照）。
【特許文献１】特開平１０−１２６５７５号公報
【発明の概要】
【発明が解決しようとする課題】
【０００４】
例えば、画像読取装置には、本体上面に、読み取りを行う面を下向きにして原稿が載置されるコンタクトガラスを有し、コンタクトガラスの下方にランプが設けられ、下方から原稿に光を照射するものがある。又、上下方向に開閉され、原稿を押さえるためカバーやカバーとして利用できる原稿搬送装置等が画像読取装置に付される。
【０００５】
又、このような画像読取装置では、読み取りを行うことで、原稿のサイズを検知することがある。ここで、原稿を押さえるカバー等の裏面に設けられ、原稿を押さえるマットの色は、通常最もよく使用される用紙色である白色とされる。カバー等が完全に閉じられると、用紙色が白であれば、原稿をスキャンしても、画像データでの原稿のある部分と無い部分の境界を正確に読み取ることができず、原稿のサイズを正確に検知し難い。
【０００６】
そこで、画像読取装置には、原稿のサイズを検知のため、本格的な原稿の読み取りの前に、カバー等をある程度閉じると読み取りを行うものがある（「プレスキャン」と呼ばれる場合もある）。カバー等が完全に閉じられる前、光を原稿に照射してスキャンすると、原稿のない部分からは、光が漏れる。原稿で反射されず漏れた光はイメージセンサに入射されない。この結果、原稿部分は白く（明るく）、原稿のない部分は黒く（暗く）なり、縁がついたような画像データが得られる。明るい部分と暗い部分の境界の位置は、原稿のサイズにより変わる。従って、このプレスキャンにより、例えば、コンタクトガラス上の原稿の主走査方向での長さが検知される。このようなプレスキャンにより、コピーでの自動変倍や自動用紙サイズ選択等を行うことができ、利便性が高まる。
【０００７】
ここで、近年、使用者の利便性や生産性向上のため、画像読取装置の読取速度（走査速度）の高速化が進められている。一方で、読取速度（走査速度）を上げると、１ラインあたりの走査時間は、短くなる。従って、１ラインあたりのイメージセンサの受光量は低下する。そこで、画像読取装置のランプには光量が大きいものが用いられつつある。これにより、読取速度を高めても、１ラインあたりのイメージセンサの受光量は確保される。
【０００８】
漏れた光が、使用者の目に光が直に入射されると眩しいため、カバー等をある程度閉じると、プレスキャンが行われる。しかし、近年では、上述のように光量が大きいランプが用いられているため、プレスキャンにより漏れた光により使用者に眩しさを強く感じさせ、不快感を与えてしまいやすくなりつつあるという問題がある。
【０００９】
ここで、特許文献１記載の発明は、そもそも家庭用ＦＡＸに関してのものであり、光源は機体内部に収められ、コンタクトガラスも有さない。従って、漏れた光により使用者に眩しさを強く感じさせる点を考慮しなくてよく、眩しさ低減に関する記載はない。
【００１０】
本発明は、上記従来技術の問題点に鑑み、３色分のＬＥＤを含むランプを有する画像読取装置において、原稿サイズ検知用の読み取りモードを設け、使用者に眩しさを強く感じさせ、不快感を与えることを防ぐことを課題とする。
【課題を解決するための手段】
【００１１】
上記目的を達成するために、請求項１に係る画像読取装置は、原稿が載置されるコンタクトガラスと、上下方向に開閉され、前記コンタクトガラスに載置された原稿を押さえるための原稿押さえ部と、前記原稿押さえ部が予め定められた位置よりも倒されたことを検知する開閉検知部と、ＲｅｄとＧｒｅｅｎとＢｌｕｅの３色分のＬＥＤを含み、前記コンタクトガラスに載置された原稿に向け光を照射するＬＥＤランプと、原稿に照射された光の反射光を受光し、ライン単位で読み取るイメージセンサと、前記イメージセンサのアナログ出力を画像データとしてディジタル化するＡ／Ｄ変換部と、前記Ａ／Ｄ変換部が出力した画像データの処理を行い、少なくとも、載置された原稿の主走査方向の長さを検知する原稿サイズ検知のため、画像データの内で明るい部分と暗い部分の境界を検知する境界検知処理を行う画像処理部と、を備え、前記原稿押さえ部が予め定められた位置よりも倒されたことを検知したとき、前記ＬＥＤランプは、前記原稿サイズ検知のため、１色ずつ順次発光することとした。
【００１２】
この構成によれば、原稿押さえ部が予め定められた位置よりも倒れたことの検知で、ＬＥＤランプは、原稿サイズ検知のため、１色ずつ順次発光する。これにより、ＬＥＤは、３色同時点灯ではなく、１色ずつ点灯するので、３色同時点灯の際のＬＥＤランプの光量が大きくても、原稿サイズ検知のための読み取りの際、外部に漏れる光量を減らすことができる。従って、眩しさを感じさせず、不快感を与えることを防ぐことができる。尚、画像処理部での境界検知方法は様々であるが、例えば、画像処理部は、画素値が予め定められた所定値以上の差がある位置を境界としてもよいし、隣接する画素の画素値の差が最も大きい画素の位置を境界と定めてもよい。
【００１３】
又、請求項２に係る発明は、請求項１の発明において、前記ＬＥＤランプは、前記原稿サイズ検知後に行われる原稿の読み取りでは、３色分のＬＥＤを全て又は少なくとも２色を同時に点灯することとした。
【００１４】
この構成によれば、ＬＥＤランプは、原稿サイズ検知の後に行われる原稿の読み取りでは、３色分のＬＥＤを全て又は少なくとも２色を同時に点灯する。これにより、原稿押さえ部が閉じられ、原稿の読み取りを本格的に行う際に、大きな光量を得ることができる。従って、原稿の読み取り速度を向上させても、１ラインあたりの光量の低下を防ぐことができる。
【００１５】
又、請求項３に係る発明は、請求項１又は２の発明において、ライン単位の原稿の読み取りにおける同期信号である水平同期信号を発する同期信号発生部を含み、前記原稿押さえ部が予め定められた位置よりも倒されたことを検知したとき、前記ＬＥＤランプは、前記水平同期信号の周期内で３色分の前記ＬＥＤを１色ずつ点灯することとした。
【００１６】
この構成によれば、ＬＥＤランプは、水平同期信号に基づき、周期内で３色分のＬＥＤを１色ずつ点灯する。これにより、３色同時発光を行う場合に比べ、光量を１／３に押さえることができる。従って、眩しさを感じさせず、不快感を与えることを防ぐことができる。
【００１７】
又、請求項４に係る発明は、請求項１又は２の発明において、ライン単位の原稿の読み取りにおける同期信号である水平同期信号を発する同期信号発生部を含み、前記原稿押さえ部が予め定められた位置よりも倒されたことを検知したとき、前記ＬＥＤランプは、前記水平同期信号の１周期の間、１色の前記ＬＥＤを点灯させ、前記水平同期信号の周期ごとに点灯する前記ＬＥＤの色を順次切り替えることとした。
【００１８】
この構成によれば、ＬＥＤランプは、水平同期信号に基づき、周期の間、１色のＬＥＤを点灯させ、周期ごとに点灯するＬＥＤの色を切り替えるこれにより、３色同時発光を行う場合に比べ、光量を１／３に押さえることができる。従って、眩しさを感じさせず、不快感を与えることを防ぐことができる。
【００１９】
又、請求項５に係る発明は、請求項１乃至４の発明において、前記イメージセンサは、Ｒ、Ｇ、Ｂのカラーラインセンサであり、前記画像処理部は、前記原稿サイズ検知において、１色分の画像データに基づき、又は、３色分の画像データを合成し、合成により得られた画像データに基づき前記境界検知処理を行うこととした。
【００２０】
この構成によれば、原稿サイズ検知は、ＬＥＤの１色分の画像データに基づき、又は、３色分の画像データを合成し、合成により得られた画像データに基づき得られた境界の位置に基づき行われる。これにより、原稿の用紙色（地肌色）によらず原稿のサイズを正確に検知することができる。
【００２１】
又、請求項６に係る画像形成装置は、請求項１乃至５のいずれか１項に記載の画像読取装置を含むこととした。
【００２２】
この構成によれば、使用者が眩しさを感じない原稿サイズ検知を行える画像形成装置を提供することができる。又、ＬＥＤランプにより十分な光量が確保されるので、原稿の読取速度を早めることができ、その結果、ジョブの実行速度が速い画像形成装置を提供することができる。
【発明の効果】
【００２３】
本発明によれば、３色分のＬＥＤを含むランプを有する画像読取装置において、原稿サイズ検知用の読み取りモードを設け、このモードで１色のみの発光とすることで、使用者に眩しさを強く感じさせ、不快感を与えることを防ぐことができる。
【図面の簡単な説明】
【００２４】
【図１】第１の実施形態に係る複写機の概略構成を示す模型的断面図である。
【図２】第１の実施形態に係る画像読取装置の一例を示す模型的断面図である。
【図３】第１の実施形態に係る原稿搬送部を開けた状態の一例を示す正面図である。
【図４】第１の実施形態に係る原稿搬送部を開けた状態の左側面模型的断面図である。
【図５】第１の実施形態に係る原稿搬送部が倒された状態の一例を示す左側面模型的断面図である。
【図６】第１の実施形態に係る画像読取部を上方からみた一例を示す平面図である。
【図７】第１の実施形態に係る複写機の構成の一例を示すブロック図である。
【図８】第１の実施形態に係る画像読取装置の構成の一例を示すブロック図である。
【図９】（ａ）、（ｂ）は、第１の実施形態に係るＬＥＤランプの一例を示す説明図である。
【図１０】第１の実施形態に係るＬＥＤランプの点灯制御の一例を示すタイミングチャートであり、（ａ）は、原稿サイズ検知モードのタイミングチャートであり、（ｂ）は、原稿読取モードのタイミングチャートの一例を示す。
【図１１】第１の実施形態に係る載置された原稿の読取制御の一例を示すフローチャートである。
【図１２】第２の実施形態に係る原稿サイズ検知モードでの点灯制御の一例を示すタイミングチャートである。
【発明を実施するための形態】
【００２５】
以下、本発明の第１の実施形態を図１〜図１１を用いて説明する。但し、本実施の形態に記載されている構成、配置等の各要素は、発明の範囲を限定するものではなく単なる説明例にすぎない。
【００２６】
（画像形成装置の概略）
まず、図１を用いて、本発明の第１の実施形態に係る画像読取装置１００を含む電子写真方式の複写機２００（画像形成装置に相当）の概略を説明する。図１は、本発明の第１の実施形態に係る複写機２００の概略構成を示す正面視模型的断面図である。
【００２７】
図１に示すように、本実施形態に係る複写機２００は、上方に画像読取装置１００が配される。画像読取装置１００は、搬送読取用コンタクトガラス１１又は載置読取用コンタクトガラス１２上面に向け光を照射し、反射光に基づきイメージセンサ１５により画像データを生成する画像読取部１と、画像読取部１の上方に設けられ、回転軸２ａ（図３参照）により画像読取部１に対し上下方向に開閉し、搬送読取用コンタクトガラス１１に向けて原稿を搬送する原稿搬送部２（原稿押さえ部に相当）を含む。尚、画像読取装置１００の詳細は後述する。
【００２８】
又、図１に破線で示すように、画像読取部１の正面側に操作パネル３が設けられる。操作パネル３は、複写機２００の設定用のキーを表示し、使用者の入力を受け付ける液晶表示部３０を有する。又、液晶表示部３０は、ジャムや用紙切れ等のエラー等の複写機２００の状態を表示できる。又、操作パネル３にコピー部数等の数字入力を行うためのテンキー部３１や、コピー実行を指示するためのスタートキー３２等が配される。
【００２９】
そして、図１に示すように、本実施形態の複写機２００は、本体内部に、給紙部４Ａ、搬送路４Ｂ、画像形成部５Ａ、中間転写部５Ｂ、定着部５Ｃ等を備える。複写機２００本体内の複数の給紙部４Ａは、それぞれ、各サイズ（例えば、Ａ４、Ｂ４等のＡ型、Ｂ型用紙等）、各種用紙（例えば、コピー用紙、再生紙、厚紙、ＯＨＰシート等）を複数枚収容する。各給紙部４Ａは、それぞれ回転駆動する給紙ローラ４１を備え、印刷時、１枚ずつ搬送路４Ｂに用紙を送り込む。
【００３０】
搬送路４Ｂは、装置内で用紙を搬送する通路である。そして、搬送路４Ｂには、用紙の案内のためのガイド板や、用紙搬送時に回転駆動する搬送ローラ対４２（図１おいて、上方から４２Ａ、４２Ｂ、４２Ｃの計３つ）や、搬送される用紙を画像形成部５Ａの手前で待機させ、形成されたトナー像の転写タイミングに合わせ用紙を送り出すレジストローラ対４３等が設けられる。又、定着完了後の用紙を排出トレイ４４に排出する排出ローラ対４５も設けられる。
【００３１】
画像形成部５Ａは、複数の画像形成ユニット５０（ブラック用の５０Ｂｋ、イエロー用の５０Ｙ、シアン用の５０Ｃ、マゼンタ用の５０Ｍ）と露光装置５１を含む。露光装置５１は、画像読取部１で読み取られた画像データ等に基づき、レーザ光を点消灯しつつ出力し、各感光体ドラムを走査露光する。画像形成ユニット５０は、回転駆動可能に支持された感光体ドラムや、感光体ドラムの周囲に配設された帯電装置、現像装置、清掃装置等を備える。そして、各画像形成ユニット５０と露光装置５１によって、感光体ドラムの周面上にトナー像が形成される。
【００３２】
中間転写部５Ｂは、各画像形成ユニット５０からトナー像の１次転写を受け、シートに２次転写を行う。中間転写部５Ｂは、各１次転写ローラ５２Ｂｋ〜５２Ｍ、中間転写ベルト５３、駆動ローラ５４、複数の従動ローラ５５、２次転写ローラ５６、ベルト清掃装置５７等で構成される。各１次転写ローラ５２Ｂｋ〜５２Ｍは、対応する感光体ドラムと無端状の中間転写ベルト５３を挟み込む。各１次転写ローラ５２Ｂｋ〜５２Ｍには、転写用電圧が印加され、トナー像は中間転写ベルト５３に転写される。
【００３３】
中間転写ベルト５３は、駆動ローラ５４等に張架され、モータ等の駆動機構（不図示）に接続される駆動ローラ５４の回転駆動により周回する。中間転写ベルト５３は、又、駆動ローラ５４は、２次転写ローラ５６とで中間転写ベルト５３を挟み込む。各画像形成ユニット５０で形成されたトナー像（ブラック、イエロー、シアン、マゼンタの各色）は、順次、ずれなく重畳して中間転写ベルト５３に１次転写された後、所定の電圧を印加された２次転写ローラ５６により、シートに転写される。
【００３４】
定着部５Ｃは、用紙に転写されたトナー像を定着させる。定着部５Ｃは、主として、発熱体を内蔵する加熱ローラ５８とこれに圧接する加圧ローラ５９からなる。用紙が、加熱ローラ５８と加圧ローラ５９のニップを通過すると、トナーが溶融・加熱され、トナー像が用紙に定着する。定着部５Ｃからの排出用紙は排出トレイ４４に送られる。
【００３５】
（画像読取装置１００の構成）
次に、図２を用いて、本発明の第１の実施形態に係る画像読取装置１００の一例を説明する。図２は、本発明の第１の実施形態に係る画像読取装置１００の一例を示す模型的断面図である。
【００３６】
まず、原稿搬送部２は、読み取りを行う原稿を１枚ずつ、自動的に連続して読み取り位置（後述の搬送読取用コンタクトガラス１１）に搬送する。原稿搬送部２は、原稿搬送方向上流側から順に、原稿トレイ２１、原稿供給ローラ２２、原稿搬送路２３、複数の原稿搬送ローラ対２４、原稿排出ローラ対２５、原稿排出トレイ２６等を備える。又、原稿搬送部２は、図２の紙面奥側を支点として画像読取部１に上下方向に開閉自在に取り付けられ、画像読取部１の各コンタクトガラスを上方から押さえるカバー（原稿押さえ部）として機能する。
【００３７】
読み取りを行う複数枚の原稿は原稿トレイ２１に載置される。そして、原稿供給ローラ２２は、原稿トレイ２１に載置された原稿のうち最上位の原稿に当接する。例えば、スタートキー３２の押下等、原稿読取を行う旨の入力が複写機２００に入力されると、原稿供給ローラ２２は、原稿搬送路２３に原稿を１枚ずつ送り出す。
【００３８】
送り出された原稿は、複数の原稿搬送ローラ対２４やガイドに導かれ、画像読取部１上面に設けられた搬送読取用コンタクトガラス１１の上面を通過する。この通過の際、画像読取部１が読取を行う。そして、読取が完了した原稿は、原稿排出ローラ対２５から原稿排出トレイ２６に排出される（原稿搬送経路を２点鎖線で図示）。尚、上記の各回転体（原稿供給ローラ２２、原稿搬送ローラ対２４、原稿排出ローラ対２５）は、原稿搬送モータ２７（図８参照）を駆動源として回転する。
【００３９】
次に、本実施形態における画像読取部１を説明する。図１や図２に示すように、画像読取部１は、箱形の筐体を有する。そして、画像読取部１の上面左側に、図２の紙面に垂直な方向でのび、透明板状の搬送読取用コンタクトガラス１１が配される。そして、画像読取部１の上面で右側に、紙面に垂直な方向でのび、透明板状の載置読取用コンタクトガラス１２が配される。載置読取用コンタクトガラス１２は画像読取部１の上面に設けられる。書籍等の原稿を１枚ずつ読み取る場合、原稿搬送部２を持ち上げ、読取面を下向きにして、原稿が載置される。
【００４０】
又、図２に示すように、画像読取部１の筐体内に、第１移動枠１３１、第２移動枠１３２、ワイヤ１３３、巻取ドラム１３４、レンズ１４と、原稿に光を照射するＬＥＤランプ６と、原稿に照射された光が入射され、１ライン毎に原稿を読み取り、画像データを生成するためのイメージセンサ１５等が配される。イメージセンサ１５は、例えば、ライン状に光電変換素子を並べたＣＣＤ（Charge Coupled Device）で構成され、原稿の反射光を元に、１ライン毎に原稿を読み取る。
【００４１】
ＬＥＤランプ６から発せられた光は、搬送読取用コンタクトガラス１１上の原稿に当たり、反射光を第１ミラー１６１、第２ミラー１６２、第３ミラー１６３で反射させて、レンズ１４に導く。レンズ１４は反射光を集光し、イメージセンサ１５に入射する、イメージセンサ１５は、例えば、複数の受光素子をＲ、Ｇ、Ｂの３つのライン状に並べたラインセンサである。そして、イメージセンサ１５は、反射光を画像濃度に応じたアナログの電気信号に変換する。この原稿の主走査方向（原稿搬送方向と垂直な方向）にライン単位で読取が行われ、ライン単位の読取を副走査方向（原稿搬送方向）に連続して繰り返し行って、１枚の原稿が読み取られる。
【００４２】
そして、第１移動枠１３１は、上方に光を照射するＬＥＤランプ６を、下方に第１ミラー１６１を支持する。尚、ＬＥＤランプ６、各ミラーは、図２の紙面垂直方向に延びる形状である。第２移動枠１３２は、上方に第２ミラー１６２を、下方で第３ミラー１６３を支持する。又、第１移動枠１３１は第２移動枠１３２の上方に配される。又、この第１移動枠１３１及び第２移動枠１３２には複数本のワイヤ１３３が取り付けられ（図２では、便宜上１本のみ図示）る。ワイヤ１３３の他端は巻取ドラム１３４に接続され、巻取モータ１３Ｍ（図８参照）を駆動源として、巻取ドラム１３４が正逆回転し、第１移動枠１３１と第２移動枠１３２は水平方向に自在に移動する。
【００４３】
ここで、具体的な原稿読取動作の一例を説明しておく。まず、原稿搬送部２により搬送される原稿の読取の場合、巻取モータ１３Ｍが駆動した後、第１移動枠１３１と第２移動枠１３２は、搬送読取用コンタクトガラス１１の下方位置（読み取り位置）に固定される。そして、通過する原稿に対し、ＬＥＤランプ６は光を照射する。尚、ＬＥＤランプ６の詳細は後述する。
【００４４】
一方、載置読取用コンタクトガラス１２上に載置された原稿を読み取る場合、第１移動枠１３１及び第２移動枠１３２を巻取ドラム１３４やワイヤ１３３等により、ホームポジションから図２の右方向に水平に移動させ、走査動作を、順次原稿端部まで連続的に行うことで、原稿全体が読み取られ、原稿画像が電気信号に変換される。
【００４５】
（原稿搬送部２の開閉と、開閉検知）
次に、図３乃至図５に基づき、原稿搬送部２の開閉とその開閉検知を説明する。図３は、本発明の第１の実施形態に係る原稿搬送部２を開けた状態の一例を示す正面図である。尚、図３では画像読取装置１００以外の図示は省略している。又、図４は、本発明の第１の実施形態に係る原稿搬送部２を開けた状態での左側面模型的断面図である。図５は、本発明の第１の実施形態に係る原稿搬送部２が倒された状態の一例を示す左側面模型的断面図である。
【００４６】
原稿搬送部２は、前述のように画像読取部１の上面に設けられる。原稿搬送部２は、画像読取部１の本体背面側の一辺の箇所に備えた２箇所の回転軸２ａを中心として、支持部材２ｂに回動自在に取り付けられる。これにより、原稿搬送部２は、画像読取装置１００１の正面側を自由端として、正面側の上下を振るようにして回転し、画像読取部１の上面に対して開、閉両様の姿勢をとり得る。
【００４７】
原稿搬送部２を閉じた時に、搬送読取用コンタクトガラス１１に対向する原稿搬送部２の下面には、白色ガイド板２ｃが設けられる。白色ガイド板２ｃは、搬送読取用コンタクトガラス１１をカバーする位置及び大きさである。原稿搬送部２を閉じた時、白色ガイド板２ｃと搬送読取用コンタクトガラス１１間には、隙間が形成され、搬送される原稿が通過する経路となる。
【００４８】
又、原稿搬送部２を閉じた時、載置読取用コンタクトガラス１２に対向する面の位置に白色マット２ｄが設けられる。白色マット２ｄは、載置読取用コンタクトガラス１２をカバーする位置及び大きさである。原稿搬送部２を閉じた時、白色マット２ｄが、押圧して、原稿を移動しないように保持する。
【００４９】
そして、図３乃至図５に示すように、画像読取部１には、原稿搬送部２の２箇所の回転軸２ａの間に、原稿搬送部２が所定角度倒されたことを検知するための開閉検知部７が設けられる。開閉検知部７は、接触片７１、センサ７２、ばね７３等を備える。
【００５０】
図４及び図５に示すように、接触片７１は、上下方向に延びる棒状の部材で、上下方向にスライドする。接触片７１は、原稿搬送部２が、閉じられ始めると上側の先端が原稿搬送部２の下面に接触する接触部７４を備える。そして、原稿搬送部２が倒されるほど、接触片７１は下方に押し込まれる。又、接触片７１は、下側の先端にセンサ７２による開閉検知のために利用されるセンサ干渉部７５を備える。
【００５１】
センサ７２は、原稿搬送部２が下降時のセンサ干渉部７５の近傍に備えられる。センサ７２は、例えば、透過型光センサで構成され、発光部及び受光部（図示せず）を備える。そして、原稿搬送部２が予め定められた位置よりも倒されると、センサ干渉部７５はセンサ７２の発光部と受光部との間の光路を遮り始める。又、予め定められた位置よりも原稿搬送部２が倒されていれば、センサ干渉部７５は、センサ７２の発光部と受光部との間の光路を遮り続ける。
【００５２】
これにより、原稿搬送部２が予め定められた位置よりも倒されていること、及び、原稿搬送部２が予め定められた位置以上に持ち上げられていることを検知することができる。ばね７３は、接触片７１の下方に設けられる。ばね７３は、例えば、圧縮コイルばねで構成され、原稿搬送部２の開状態で、接触片７１が飛び出さず、センサ干渉部７５がセンサ７２の上方にくる程度で接触片７１を上方に付勢する。
【００５３】
本実施形態の複写機２００では、図５に示すように、予め定められた位置を、載置読取用コンタクトガラス１２に対する原稿搬送部２の下面の角度θと関連づけて定めることができる。尚、角度θは、任意に設定可能であり（例えば、２０〜４５度の範囲で設定）、センサ干渉部７５の大きさは、予め定められた角度θまで倒されれば、センサ７２の光路を遮るように調整される。そして、本実施形態の複写機２００では、原稿搬送部２が予め定められた位置よりも倒されたことをトリガとして、原稿サイズ検知のためのプレスキャンが行われる。
【００５４】
（原稿サイズ検知の概要）
次に、図６に基づき、本発明の第１の実施形態に係る画像読取装置１００での原稿サイズ検知の概要を説明する。図６は、本発明の第１の実施形態に係る画像読取部１を上方からみたときの一例を示す平面図である。
【００５５】
使用者は、読み取る面を下向きにし、載置読取用コンタクトガラス１２に原稿を載置する。そして、原稿の基準点Ｐにあわせて原稿を載置する。尚、本実施形態の複写機２００では、複写機２００を上方からみて、載置読取用コンタクトガラス１２の左上隅が基準点Ｐである。使用者は、この基準点Ｐに原稿の左上隅をあわせ原稿を載置する。
【００５６】
本実施形態の複写機２００では、原稿サイズ検知において、原稿の主走査方向の長さは、原稿の左端の一部を読み取ることで検知される。一方、各移動枠が移動する方向である副走査方向（主走査方向と垂直な方向）の原稿の長さを検知するため、図６に示すように複数個の原稿検知センサ１７が設けられる。原稿検知センサ１７は、例えば、反射型光センサである。各原稿検知センサ１７の出力は、例えば、後述の読取制御部１０に入力される。そして、読取制御部１０は、原稿の副走査方向の長さが、基準点Ｐから原稿の存在を検知する原稿検知センサ１７までの長さと、基準点Ｐから原稿の存在を検知しない原稿検知センサ１７までの長さの範囲に収まると検知する。
【００５７】
（複写機２００のハードウェア構成）
次に、図７に基づき本発明の第１の実施形態に係る複写機２００のハードウェア構成の一例を説明する。図７は、本発明の第１の実施形態に係る複写機２００の構成の一例を示すブロック図である。
【００５８】
まず、複写機２００の本体制御部８には、中央演算処理装置として、ＣＰＵ８１が設けられる。又、ＲＡＭ（Random Access Memory）やＲＯＭ（Read Only Memory）やＨＤＤ（Hard disk drive）やフラッシュＲＯＭ等の不揮発性と揮発性のメモリからなる記憶部８２が、本体制御部８内（本体制御部８外でもよい）に設けられる。
【００５９】
記憶部８２は、複写機２００を制御するためのプログラム、データ等を記憶する。本体制御部８は、記憶部のプログラムやデータを利用して、各部を制御し、印刷を行わせる。尚、本体制御部８は、全体制御や通信制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの制御部をまとめた形態を示し、説明する。
【００６０】
又、本体制御部８には、画像読取装置１００内に設けられる第１画像処理部９（詳細は後述）が処理した画像データに基づき、画像処理を行う第２画像処理部８３が設けられる。例えば、第２画像処理部８３は、ＡＳＩＣやメモリ等で構成され、濃度変換処理や、拡大縮小処理や、回転処理や、画像データの圧縮、伸張処理などの各種画像処理を行える。尚、第２画像処理部８３は、その他の画像処理（例えば、枠消し処理）等を行うこともできるが、公知の画像処理を行えるものとして説明を割愛する。
【００６１】
そして、本体制御部８は、給紙部４Ａ、搬送路４Ｂ、画像形成部５Ａ、中間転写部５Ｂ、定着部５Ｃ、操作パネル３等と接続される。本体制御部８は、用紙搬送やトナー像形成等、各部の動作制御を行う。又、操作パネル３での設定やコピー実行指示は、本体制御部８に伝達される。本体制御部８は、画像読取装置１００とも接続され、コピー実行時等、画像読取装置１００に対して動作指示を与える。そして、本体制御部８はコピー時、原稿の画像データを受け取り、画像データに基づき、印刷を行わせる（コピー）。
【００６２】
（画像読取装置１００のハードウェア構成）
次に、図８及び図９に基づき、本発明の第１の実施形態に係る画像読取装置１００のハードウェア構成の一例を説明する。図８は、本発明の第１の実施形態に係る画像読取装置１００の構成の一例を示すブロック図である。図９（ａ）、（ｂ）は、本発明の第１の実施形態に係るＬＥＤランプ６の一例を示す説明図である。
【００６３】
上述したように、本実施形態の画像読取装置１００は、原稿搬送部２と画像読取部１で構成され、原稿搬送部２には、原稿搬送部２の動作の制御を行う原稿搬送制御部２０が設けられる。一方、画像読取部１には、画像読取部１の動作の制御を行う読取制御部１０が設けられる。
【００６４】
まず、原稿搬送制御部２０を説明する。原稿搬送制御部２０は、上述の本体制御部８や読取制御部１０と接続され、本体制御部８や読取制御部１０からの指示、信号を受け原稿搬送部２の動作制御を行う。原稿搬送制御部２０は、例えば、中央演算処理装置としてのＣＰＵや、制御用のプログラムやデータを記憶する記憶装置としてのＲＯＭ、ＲＡＭを含む基板である。原稿搬送制御部２０は、本体制御部８等との通信を行い、又、本体制御部８等の指示を受け、原稿搬送部２の動作制御を行う。例えば、本体制御部８から原稿の読取指示があった場合、原稿搬送モータ２７を駆動させ、原稿供給ローラ２２や原稿搬送ローラ対２４等を回転させる。
【００６５】
次に、画像読取部１と読取制御部１０の概略構成を説明する。読取制御部１０は、上述の本体制御部８や原稿搬送制御部２０と通信可能に接続される。そして、読取制御部１０は、本体制御部８からの指示、信号を受け、原稿搬送部２の動作制御を行う。読取制御部１０も、中央演算処理装置としてのＣＰＵや、画像読取装置１００の制御に必要なプログラム、データを記憶する記憶装置としてのＲＯＭ、ＲＡＭを含む基板である。
【００６６】
そして、例えば、操作パネル３のスタートキー３２が押下された場合等、本体制御部８の指示を受け、読取制御部１０は、画像読取装置１００の動作制御や、読取で得られた画像データの本体制御部８への送信制御を行う。
【００６７】
そして、読取制御部１０は、巻取モータ１３Ｍが接続される。これにより、巻取モータ１３Ｍの回転を制御し、巻取ドラム１３４を回転させ、各移動枠を移動させる。又、読取制御部１０は、開閉検知部７と接続され、開閉検知部７の出力に基づき、原稿搬送部２が予め定められた位置よりも倒されたことや、予め定められた位置以上に持ち上げられたこと認識する。又、読取制御部１０は、各原稿検知センサ１７と接続され、各原稿検知センサ１７の出力に基づき、載置読取用コンタクトガラス１２に載置された原稿の副走査方向での長さを検知する。
【００６８】
又、読取制御部１０は、ＬＥＤランプ６やイメージセンサ１５やＡ／Ｄ変換部９１や第１画像処理部９等と接続され、原稿の読み取りを行うべき旨の指示、言い換えると、駆動すべき旨の指示を与える。
【００６９】
まず、ＬＥＤランプ６は、ｒｅｄのＬＥＤ６１、ｇｒｅｅｎのＬＥＤ６２、ｂｌｕｅのＬＥＤ６３を含む。ここで、図９を用いて、ＬＥＤランプ６の一例を説明する。図９（ａ）は、ライトガイド６４の両端部に各色のＬＥＤ６１〜６３を設けるタイプのＬＥＤランプ６の一例を示す。例えば、ライトガイド６４は、主走査方向に伸び、各ＬＥＤの光を導く。又、ライトガイド６４は、微少なプリズムを有する。ＬＥＤ６１〜６３の光は、このライトガイド６４により、ライン状に均等に原稿に照射される。尚、ライトガイド６４の一方の端部だけにＬＥＤ６１〜６３を設けるようにしてもよい。
【００７０】
又、図９（ｂ）に示すように、ＬＥＤ６１〜６３をそれぞれライン状に配列するタイプのＬＥＤランプ６であってもよい。いずれにしても、本実施形態の画像読取装置１００では、ランプは、ｒｅｄ、ｇｒｅｅｎ、ｂｌｕｅの３色発光可能な光源である。尚、ＬＥＤランプ６は、３色のＬＥＤ６１〜６３が１チップ化されたものでもよい。
【００７１】
そして、図８に示すように、ＬＥＤランプ６には、各色の点消灯を行ううえでのスイッチとしての点灯回路６５が設けられる。点灯回路６５は、３色のＬＥＤ６１〜６３のうち１色のみ、あるいはいずれか２色を点灯させることができるし、３色全てを同時に点灯させることもできる。
【００７２】
イメージセンサ１５は、原稿に照射された光を受け、各画素についてＲ、Ｇ、Ｂの３種のアナログの電気信号を出力する。電気信号の大きさは、受光量に応じ異なる。Ａ／Ｄ変換部９１は、イメージセンサ１５によって得られた各画素のアナログの電気信号の転送を受け、量子化を行い、ディジタル信号に変換する。例えば、Ａ／Ｄ変換部９１は、Ｒ、Ｇ、Ｂについてそれぞれ８ビット（計２４ビット）に量子化を行う。
【００７３】
第１画像処理部９（特許請求の範囲の画像処理部に相当）は、Ａ／Ｄ変換部９１が出力した画像データを受け、画像処理を施す。尚、本実施形態では、第１画像処理部９を画像読取部１に、第２画像処理部８３を本体制御部８に設ける例を説明するが、例えば、画像処理部を本体側に一つだけ設け、１つだけ設けた画像処理部に、本説明での第１画像処理部９の処理と第２画像処理部８３の処理を行わせるようにしてもよい。言い換えると、画像処理部を１つだけ設けるようにしてもよい。
【００７４】
第１画像処理部９内に、ワークメモリ９２、点灯制御部９３、同期信号発生部９４、合成処理部９５、エッジ処理部９６、境界検知部９７、補正処理部９８等が設けられる。ワークメモリ９２は、画像データの処理のための作業領域であり、Ａ／Ｄ変換部９１からの画像データは、ワークメモリ９２に蓄えられる。同期信号発生部９４は、原稿の読み取りで同期をとるための同期信号を発する。例えば、同期信号発生部９４は、１ライン分の読み取りで同期をとるための水平同期信号ＨＳＹＮＣを発する。
【００７５】
水平同期信号ＨＳＹＮＣは、例えば、点灯制御部９３やイメージセンサ１５やＡ／Ｄ変換部９１に与えられる。例えば、原稿サイズ検知や原稿読み取りの際、水平同期信号ＨＳＹＮＣにあわせて、イメージセンサ１５は、１ラインのうちで先頭にあたる画素から電気信号の出力を開始する。又、例えば、Ａ／Ｄ変換部９１は、水平同期信号ＨＳＹＮＣにあわせて、電気信号のディジタル化を行い、第１画像処理部９に画像データを出力する。
【００７６】
点灯制御部９３は、発光させるＬＥＤの色を指示する信号をＬＥＤランプ６の点灯回路６５に送る。例えば、点灯制御部９３は、ＰＷＭ回路であり、例えば、Ｒ、Ｇ、Ｂ用の３色分のラインが点灯制御部９３から点灯回路６５に入力される（図８では、便宜上、１本の信号線を図示）。点灯回路６５は、点灯制御部９３からの信号がＨｉｇｈの色を点灯させるスイッチとして機能する。
【００７７】
合成処理部９５は、Ｒ、Ｇ、Ｂの各色の画像データから白黒の画像データを生成する。言い換えると、合成処理部９５は、Ｒ、Ｇ、Ｂの各色の画像データからグレースケールの画像データを生成する。例えば、合成処理部９５は、原稿サイズ検知や、白黒でのコピーの際に処理を行う。
【００７８】
エッジ処理部９６は、Ｒ、Ｇ、Ｂの各色の画像データや、白黒合成された画像データに対し、微分フィルタ処理を施す。これにより、明暗の差が強調された画像データが得られる。例えば、合成処理部９５は、原稿サイズ検知の際に処理を行う。
【００７９】
境界検知部９７は、原稿サイズ検知を行うための部分である。境界検知部９７は、Ｒ、Ｇ、Ｂの各色の１ライン分の画像データに対し境界検知処理を行ってもよい。又、境界検知部９７は、白黒合成された１ライン分の画像データに対し境界検知処理を行ってもよい。又、境界検知部９７は、白黒合成され、更にエッジ処理を施した１ライン分の画像データに対し境界検知を行ってもよい。即ち、イメージセンサ１５は、Ｒ、Ｇ、Ｂのカラーラインセンサであり、画像処理部（第１画像処理部９）は、原稿サイズ検知において、１色分の画像データに基づき、又は、３色分の画像データを合成し、合成により得られた画像データに基づき境界検知処理を行う。
【００８０】
境界検知部９７は、画像データ中、画素値が予め定められた所定値以上の差がある位置や、隣接する画素の画素値の差が最も大きい画素の位置を、明暗（白黒）の境界と定め、検知する。これは、原稿搬送部２が閉じきっていない状態での読み取りでは、原稿が存在しない部分の光は反射されず外部に漏れ出す。これにより、原稿が存在しない部分の画素は、原稿が存在する部分の画素よりも暗い画素値となる。そのため、境界検知は、原稿の主走査方向の長さの確定に役立つ。
【００８１】
そして、境界の位置を示すデータが、第１画像処理部９から、読取制御部１０に伝達される。読取制御部１０は、境界の位置を確認し、載置された原稿の主走査方向での長さを検知する。尚、原稿の主走査方向での長さの検知（原稿サイズ検知）は、読取制御部１０ではなく、本体制御部８が行ってもよい。この場合、本体制御部８に境界の位置を示すデータが送信又は転送される。又、第１画像処理部９が行ってもよい。この場合、検知結果が読取制御部１０や本体制御部８に伝送される。
【００８２】
例えば、原稿読み取りでの解像度から、１画素あたりの長さは決まっている。そこで、読取制御部１０や本体制御部８や第１画像処理部９は、境界の位置が端（例えば基準点の位置）から数えて何画素目に当たるかを確認し、演算により、載置された原稿の主走査方向での長さを検知できる。更に、記憶部８２等に、求められた原稿の主走査方向や副走査方向での長さに対する用紙サイズ（例えば、Ａ型用紙やＢ型用紙や、各用紙の縦横）を定めたテーブルを記憶させておき、テーブルを用いて、読取制御部１０や本体制御部８や第１画像処理部９は、原稿の用紙サイズを判断してもよい。
【００８３】
補正処理部９８は、画像データに対し、ガンマ補正やシェーディング補正等、ＬＥＤランプ６やイメージセンサ１５等の特性に由来する歪みを補正する。そして、第１画像処理部９によって処理された画像データは、画像メモリ８４に蓄えられた後、本体制御部８に転送される。更に、第２画像処理部８３が画像処理を施した後、例えば、画像データが露光装置５１に与えられる。
【００８４】
（モードによる点灯制御）
次に、図１０を用いて、本発明の第１の実施形態に係るＬＥＤランプ６の点灯制御の一例を説明する。図１０は、本発明の第１の実施形態に係るＬＥＤランプ６の点灯制御の一例を示すタイミングチャートであり、（ａ）は、原稿サイズ検知モードのタイミングチャートであり、（ｂ）は、原稿読取モードのタイミングチャートの一例を示す。
【００８５】
まず、図１０（ａ）を用いて、原稿サイズ検知を行う際のＬＥＤランプ６の点灯制御を説明する。まず、図１０（ａ）の上方のタイミングチャートは、同期信号発生部９４が発生させる水平同期信号ＨＳＹＮＣを示す。図１０に示す水平同期信号ＨＳＹＮＣは一定の周期で立ち上がる信号である。この水平同期信号ＨＳＹＮＣの周期は、例えば、約１００〜約２００μ秒である（周波数でいえば、約５ｋＨｚ〜約１０ｋＨｚ）。
【００８６】
本実施形態の画像読取装置１００では、水平同期信号ＨＳＹＮＣの立ち上がりで同期がとられる。尚、立ち下がりで同期がとられてもよい。そして、原稿搬送部２が予め定められた位置よりも倒された際の原稿サイズ検知を行う原稿サイズ検知モードでは、ＬＥＤランプ６は、１色のみの発光である。例えば、ＬＥＤランプ６は、水平同期信号ＨＳＹＮＣ（の立ち上がり）にあわせ、発光色が順番に切り替わる（例えば、Ｒ→Ｇ→Ｂの順番）。尚、水平同期信号ＨＳＹＮＣの周期は、約１００〜約２００μ秒であるので、このような発光色の切り替えが行われても、使用者はちらつきを感じることはない。
【００８７】
このような発光を行わせるため、点灯制御部９３は、１周期の間に１色のみの発光を指示する信号を点灯回路６５に与える。そして、点灯制御部９３は、１周期ごと（水平同期信号ＨＳＹＮＣが立ち上がるごと）に発光を指示する信号を切り替える。例えば、点灯制御部９３がＰＷＭ回路の場合、点灯制御部９３は、１色についてのみデューティを１００％とし、他の２色のデューティを０％とする。そして、点灯制御部９３は周期ごとにデューティ１００％とする色を切り替える。そして、点灯回路６５は、ＬＥＤ６１〜６３のうち、デューティ１００％のものを点灯する。
【００８８】
即ち、画像読取装置１００は、ライン単位の原稿の読み取りにおける同期信号である水平同期信号ＨＳＹＮＣを発する同期信号発生部９４を含み、開閉検知部７によって原稿押さえ部（例えば、原稿搬送部２）が予め定められた位置よりも倒されたことを検知したとき、ＬＥＤランプ６は、水平同期信号ＨＳＹＮＣの１周期の間、１色のＬＥＤ６１〜６３を点灯させ、水平同期信号ＨＳＹＮＣの周期ごとに点灯するＬＥＤ６１〜６３の色を順次切り替える。
【００８９】
次に、図１０（ｂ）を用いて、原稿サイズ検知完了後、本格的に原稿の読み取りを行う原稿読取モードでのＬＥＤランプ６の点灯制御を説明する。まず、図１０（ｂ）の上方のタイミングチャートも、同期信号発生部９４が発生させる水平同期信号ＨＳＹＮＣを示す。
【００９０】
原稿サイズ検知が行われた後の原稿読取モードでは、ＬＥＤランプ６は、３色全てが同時発光する。そして、原稿の走査が完了するまで、３色の同時発光が続けられる。この発光により、１ラインあたりの原稿への照射光量を稼ぐことができる。
【００９１】
このような発光を行わせるため、点灯制御部９３は、原稿読取モードでは、３色の同時発光を指示する信号を点灯回路６５に与える。例えば、点灯制御部９３がＰＷＭ回路の場合、点灯制御部９３は、３色ともデューティを１００％とする。そのため、点灯回路６５は、ＬＥＤ６１〜６３の全てを点灯させる。尚、デューティは、１００％以下としてもよいが、１色のみが発光される状態とはしない（少なくとも、２色は発光される状態とする）。即ち、ＬＥＤランプ６は、原稿サイズ検知後に行われる原稿の読み取りでは、３色分のＬＥＤ６１〜６３を全て又は少なくとも２色を同時に点灯する。
【００９２】
（原稿サイズ検知制御）
次に、図１１を用いて、本発明の第１の実施形態に係る載置された原稿の読取制御の一例を説明する。図１１は、本発明の第１の実施形態に係る載置された原稿の読取制御の一例を示すフローチャートである。
【００９３】
尚、本実施形態では、第１画像処理部９が検知した境界に基づき、読取制御部１０が原稿のサイズを検知する例を説明する。又、本実施形態では、第１画像処理部９は、白黒合成された画像データに基づき、境界検知を行う例を説明する。本体制御部８が原稿のサイズを検知する場合は、本体制御部８が境界の位置を示すデータを受け取り、原稿サイズ検知を行えばよい。又、第１画像処理部９が原稿のサイズを検知する場合は、第１画像処理部９は、読取制御部１０や本体制御部８に検知した原稿サイズを示すデータを送信する。
【００９４】
まず、図１１のスタートは、複写機２００が待機状態で、原稿搬送部２が閉じた（倒された状態）である。そして、使用者は、コピー等のため、載置読取用コンタクトガラス１２に原稿を載せるため、原稿搬送部２を開ける（持ち上げる）ことになる。
【００９５】
そこで、読取制御部１０は、開閉検知部７の出力を確認し、原稿搬送部２が予め定められた位置以上に持ち上げられたか、言い換えると、原稿搬送部２が開状態となったかを確認する（ステップ♯１）。もし、開状態となったことを検知できなければ（ステップ♯１のＮｏ）、読取制御部１０は、開状態となったか否かの確認を続ける（ステップ♯１）。
【００９６】
使用者は、原稿を載置読取用コンタクトガラス１２に載置すれば、原稿搬送部２を倒して閉じる。そこで、開状態となったことを検知できれば（ステップ♯１のＹｅｓ）、読取制御部１０は、開閉検知部７の出力を確認し、原稿搬送部２が予め定められた位置よりも閉じられたか（倒されたか）を確認する（ステップ♯２）。もし、予め定められた位置よりも倒されたことを検知できなければ（ステップ♯２のＮｏ）、読取制御部１０は、閉じられたことの確認を続ける（ステップ♯２）。
【００９７】
一方、もし、予め定められた位置よりも倒されたことを検知できれば（ステップ♯２のＹｅｓ）、読取制御部１０は、各部に指示を与え、１ライン分の画像データの読み取りを行わせる（ステップ♯３）。
【００９８】
例えば、ステップ♯３では、読取制御部１０は、巻取モータ１３Ｍを動作させて、各移動枠を移動させ、載置読取用コンタクトガラス１２の左端部を読み取る状態とする。又、原稿サイズ検知のため、読取制御部１０は、ＬＥＤランプ６や第１画像処理部９の同期信号発生部９４を動作させ、原稿サイズ検知モードでＬＥＤランプ６を発光させる。言い換えると、ＬＥＤランプ６は、同期信号の１周期に１色ずつ点灯させる。又、イメージセンサ１５は色ごとに１ライン分の電気信号を出力し、Ａ／Ｄ変換部９１はＡ／Ｄ変換し、第１画像処理部９はＲ、Ｇ、Ｂの３色分の１ライン分の画像データを得る。
【００９９】
そして、第１画像処理部９は画像データでの境界を検知する（ステップ♯４）。即ち、本実施形態の画像読取装置１００は、原稿が載置されるコンタクトガラスと、上下方向に開閉され、コンタクトガラスに載置された原稿を押さえるための原稿押さえ部（例えば、原稿搬送部２）と、原稿押さえ部が予め定められた位置よりも倒されたことを検知する開閉検知部７と、ＲｅｄとＧｒｅｅｎとＢｌｕｅの３色分のＬＥＤ６１〜６３を含み、コンタクトガラスに載置された原稿に向け光を照射するＬＥＤランプ６と、原稿に照射された光の反射光を受光し、ライン単位で読み取るイメージセンサ１５と、イメージセンサ１５のアナログ出力を画像データとしてディジタル化するＡ／Ｄ変換部９１と、Ａ／Ｄ変換部９１が出力した画像データの処理を行い、少なくとも、載置された原稿の主走査方向の長さを検知する原稿サイズ検知のため、画像データの内で明るい部分と暗い部分の境界を検知する境界検知処理を行う画像処理部（第１画像処理部９）と、を備え、開閉検知部７が原稿押さえ部が予め定められた位置よりも倒されたことを検知したとき、ＬＥＤランプ６は、原稿サイズ検知のため、１色ずつ順次発光する。そして、読取制御部１０は、境界の位置に基づき、主走査方向での原稿の長さを演算等により検知する（ステップ♯５）。
【０１００】
そして、読取制御部１０は、主走査方向での原稿の長さ検知を所定回数行ったかを確認する（ステップ♯６）。尚、所定回数は任意の回数であり、例えば、１２８〜２５６回程度とされる。この主走査方向での原稿の長さ検知の繰り返しは検知ミスを防ぐものであり、２回以上であって、原稿搬送部２が完全に閉じるまでの間であれば、任意の回数とすることができる。
【０１０１】
ここで、水平同期信号ＨＳＹＮＣの周期は、約１００〜２００マイクロ秒である。そして、Ｒ、Ｇ、Ｂの合成を行う場合、１ラインの画像データを得るには周期×３の時間を要する。そのため、主走査方向での原稿の長さ検知を１回行うには、例えば、約２００×３マイクロ秒＝６００マイクロ秒を要する。そして、２５６回程度繰り返す場合、６００マイクロ秒×２５６≒０．１５秒となる。又、水平同期信号ＨＳＹＮＣの周期が１００マイクロ秒であれば、０．０７〜０．０８秒となる。従って、主走査方向での原稿の長さ検知は、およそ０．０８秒から０．１５秒程度ですむ。
【０１０２】
もし、所定回数の主走査方向での原稿の長さ検知が行われていなければ（ステップ♯６のＮｏ）、例えば、ステップ♯３に戻る。一方、所定回数の主走査方向での原稿の長さ検知が行われれば（ステップ♯６のＹｅｓ）、読取制御部１０は、所定回数の個数分得られた主走査方向での原稿の長さに基づいて、最終的な主走査方向での原稿の長さを確定する（ステップ♯７）。例えば、得られた複数個の長さの平均値を求めてもよいし、最も得られた回数の多い長さを最終的な主走査方向での原稿の長さとしてもよい。
【０１０３】
更に、読取制御部１０は、複数の原稿検知センサ１７を用いて、原稿の副走査方向の長さも検知する（ステップ♯８）。そして、読取制御部１０は、本体制御部８に向けて、原稿サイズ検知結果を送信し（ステップ♯９）、本制御は終了する。
【０１０４】
このようにして、この第１の実施形態の発明によれば、開閉検知部７によって原稿押さえ部（例えば、原稿搬送部２）が予め定められた位置よりも倒されたことを検知したとき、ＬＥＤランプ６は、原稿サイズ検知のため、１色ずつ順次発光する。これにより、ＬＥＤランプ６の光量が大きくても、ＬＥＤ６１〜６３は、３色同時点灯ではなく、１色ずつ点灯するので、原稿サイズ検知のための読み取りの際、外部に漏れる光量を減らすことができる。従って、眩しさを感じさせず、不快感を与えることを防ぐ。
【０１０５】
又、ＬＥＤランプ６は、原稿サイズ検知の後に行われる原稿の読み取りでは、３色分のＬＥＤ６１〜６３を全て又は少なくとも２色を同時に点灯する。これにより、原稿押さえ部（例えば、原稿搬送部２）が閉じられ、原稿の読み取りを本格的に行う際に、大きな光量を得ることができる。従って、原稿の読み取り速度を向上させても、１ラインあたりの光量の低下を防ぐことができる。又、ＬＥＤランプ６は、水平同期信号ＨＳＹＮＣに基づき、周期の間、１色のＬＥＤ６１〜６３を点灯させ、周期ごとに点灯するＬＥＤ６１〜６３の色を切り替えるこれにより、３色同時発光を行う場合に比べ、光量を１／３に押さえることができる。従って、眩しさを感じさせず、不快感を与えることを防ぐことができる。
【０１０６】
又、原稿サイズ検知は、ＬＥＤ６１〜６３の１色分の画像データに基づき、又は、３色分の画像データを合成し、合成により得られた画像データに基づき得られた境界の位置に基づき行われる。これにより、原稿の用紙色（地肌色）によらず原稿のサイズを正確に検知することができる。又、使用者が眩しさを感じない原稿サイズ検知を行える画像形成装置を提供することができる。又、ＬＥＤランプ６により十分な光量が確保されるので、原稿の読取速度を早めることができ、その結果、ジョブの実行速度が速い画像形成装置を提供することができる。
【０１０７】
（第２の実施形態）
次に、図１２に基づき、第２の実施形態を説明する。図１２は、本発明の第２の実施形態に係る原稿サイズ検知モードでの点灯制御の一例を示すタイミングチャートである。
【０１０８】
尚、第２の実施形態は、ＬＥＤランプ６のうち点灯させる色のタイミングの点で第１の実施形態と異なるが、複写機２００や画像読取部１や原稿搬送部２などの構成は同様で良く、共通する部分は説明を省略するものとし、符号も共通したものを用いる。
【０１０９】
まず、図１２の上方のタイミングチャートも、図１０（ａ）、（ｂ）と同様に、同期信号発生部９４が発生させる水平同期信号ＨＳＹＮＣを示す。又、本実施形態でも水平同期信号ＨＳＹＮＣの立ち上がりで同期がとられる。
【０１１０】
そして、原稿搬送部２が所定角度倒された際の原稿サイズ検知を行う原稿サイズ検知モードでは、本実施形態でもＬＥＤランプ６は、１色のみの発光である。しかし、第２の実施形態では、第１の実施形態と異なり、水平同期信号ＨＳＹＮＣの周期内で３つの発光色が順番に切り替わる（例えば、Ｒ→Ｇ→Ｂの順番）。言い換えると、第２の実施形態では、第１の実施形態に比べ、１色あたりの点灯時間を約１／３とする。
【０１１１】
このような発光を行わせるため、点灯制御部９３は、１周期内で１／３周期ずつ各ＬＥＤ６１〜６３が発光するように、１／３周期ごとに発光を指示する信号を変化させる。例えば、点灯制御部９３がＰＷＭ回路の場合、点灯制御部９３は、水平同期信号ＨＳＹＮＣが立ち上がりから１／３周期の間、３色のうち、１色についてのみＨｉｇｈとする。そして、点灯制御部９３は、次の１／３周期では、点灯させていた色をＬｏｗとするとともに、未点灯の２色のうち、１色をＨｉｇｈとする。更に、最後の１／３周期では、点灯制御部９３は、点灯させていた色をＬｏｗとするとともに、点灯の１色をＨｉｇｈとする。
【０１１２】
言い換えると、点灯制御部９３は、各色についての発光を指示する信号のデューティを１／３とし、かつ、１色のみの発光とするため、Ｈｉｇｈの期間が重ならないようにする。尚、本実施形態では、デューティを均等に１／３ずつとする例を説明したが、１色のみの発光とするため、Ｈｉｇｈの期間が重ならないようにすれば、均等でなくてもよい。
【０１１３】
即ち、画像読取装置１００は、ライン単位の原稿の読み取りにおける同期信号である水平同期信号ＨＳＹＮＣを発する同期信号発生部９４を含み、開閉検知部７によって原稿押さえ部（例えば、原稿搬送部２）が予め定められた位置よりも倒されたことが検知されたとき、ＬＥＤランプ６は、水平同期信号ＨＳＹＮＣの周期内で３色分のＬＥＤ６１〜６３を１色ずつ点灯する。
【０１１４】
このようにして、第２の実施形態に示した発明によれば、第１の実施形態で得られた効果に加え、ＬＥＤランプ６は、水平同期信号ＨＳＹＮＣに基づき、周期内で３色分のＬＥＤ６１〜６３を１色ずつ点灯する。これにより、３色同時発光を行う場合に比べ、光量を１／３に押さえることができる。従って、眩しさを感じさせず、不快感を与えることを防ぐことができる。
【０１１５】
次に、他の実施形態を説明する。上記の第１の実施形態では、水平同期信号ＨＳＹＮＣの１周期毎に、第２の実施形態では、１／３周期毎に発光色を順次切り替える例を説明したが、２色以上の同時点灯とならなければ、発光色の切り替えのタイミングを上記の例と異ならせてもよい。例えば、水平同期信号ＨＳＹＮＣの２周期ごとや３周期ごとなど、第１の実施形態や第２の実施形態と異なるタイミングで発光色を切り替えてもよい。
【０１１６】
又、載置読取用コンタクトガラス１２に載置された原稿を押さえる原稿押さえ部として、原稿搬送部２を例示したが、原稿押さえ部は、原稿搬送機能を有さない矩形板状の原稿カバーでもよい。
【０１１７】
又、上記の実施形態では、画像形成装置として複写機２００を例に挙げたが、本発明はコンタクトガラスや原稿押さえ部を有するものであれば適用できる。例えば、本発明は、複合機やファクシミリ装置などにも適用できる。
【０１１８】
以上、本発明の実施形態を説明したが、本発明の範囲はこれに限定されず、発明の主旨を逸脱しない範囲で種々の変更を加えて実施することができる。
【産業上の利用可能性】
【０１１９】
本発明は、画像読取装置やこれを備えた画像形成装置に利用可能である。
【符号の説明】
【０１２０】
１      画像読取部                      １５    イメージセンサ
１２    載置読取用コンタクトガラス（コンタクトガラス）
２      原稿搬送部（原稿押さえ部）      ６      ＬＥＤランプ
６１    ＬＥＤ（Ｒｅｄ）                ６２    ＬＥＤ（Ｇｒｅｅｎ）
６３    ＬＥＤ（Ｂｌｕｅ）              ７      開閉検知部
９      第１画像処理部（画像処理部）    ９１    Ａ／Ｄ変換部
９４    同期信号発生部                  １００  画像読取装置
２００  複写機（画像形成装置）
【図１】
2012015750.tif 000003
【図２】
2012015750.tif 000004
【図３】
2012015750.tif 000005
【図４】
2012015750.tif 000006
【図５】
2012015750.tif 000007
【図６】
2012015750.tif 000008
【図７】
2012015750.tif 000009
【図８】
2012015750.tif 000010
【図９】
2012015750.tif 000011
【図１０】
2012015750.tif 000012
【図１１】
2012015750.tif 000013
【図１２】
2012015750.tif 000014